(57)【特許請求の範囲】
【請求項１】
器体の周壁一側中途に吸込口、他側下部に液体吸出口、天井部に気体吸出口を設け、この気体吸出口に気流管、液体吸出口に液流管をそれぞれ接続し、これら気流管と液流管とを合流接続し、気体吸出口を開閉するフロートバルブを器体内に収容した気液分離装置において、前記器体内に前記フロートバルブの上下揺動を案内するフロートガイドを設け、また前記液体吸出口から延びてきて前記気流管との合流接続部へと立ち上がる前記液流管の垂直部の中途に電磁流量計を設置し、しかも液流管の垂直部の中途で占める電磁流量計の縦方向の長さをＬとしたとき、電磁流量計の中心点の高さＨを、液体吸出口から水平に延びる液流管の水平部から２Ｌ以上の高さとしたことを特徴とするバキュームカー等の気液分離装置。
【請求項２】
電磁流量計の中心点の高さＨを、液体吸出口から水平に延びる液流管の水平部から２Ｌ〜４Ｌの高さ範囲内としたことを特徴とする請求項１に記載のバキュームカー等の気液分離装置。
【発明の詳細な説明】
【０００１】
【発明の属する技術分野】
本発明は、固体及び気体を含む液体を真空ポンプでタンク内に吸い込むバキュームカー等において、タンクへの吸い込み途中で液体（固体を含む）と気体を分離する気液分離装置に関する。
【０００２】
【従来の技術】
本出願人は、この種の気液分離装置として特公昭５５−６４０４号公報、特許第２９１７２５５号公報、特許第２９６１５９９号公報に開示されているものを提供し、製品化している。
【０００３】
従来は、図１にその基本概要構成を示すように、器体（分離槽）１の周壁一側中途に吸込口２、他側下部に液体吸出口３、天井部に気体吸出口４を設け、この気体吸出口４に逆Ｕ形の気流管５、液体吸出口３にＬ形の液流管６をそれぞれ接続し、これら気流管５の先端と液流管６の先端とを、吸込口２より高位置において合流管７に合流接続し、気体吸出口４を開閉するフロートバルブ８を器体１内に収容したもので、液体吸出口３から水平に延びた液流管６の水平部６ａの中途に電磁流量計９を配置して、液体が液流管６の水平部６ａ中を水平に流れるときにその流量を測定していた。
【０００４】
【発明が解決しようとする課題】
しかし、バキュームカー等の真空装置で汚水を吸引する場合、気体、液体、固体が真空圧力により混合状態で流入することが多く、固体を含む液体の流量を正確に測定することは、そもそも難しいが、従来は液流管６の水平部６ａで流量測定するため次のような問題があった。
【０００５】
吸込口２より器体１内に流入した気体・液体・固体の混合物は、器体１内で下から固体、液体、気体の順序で比重の重い順に溜まり、固体同士、液体同士でも下から重い順に溜まる。この間、主に気流管５から気体が排出される。水位が次第に上昇してフロートバルブ８が気体吸出口４を塞いで行くに従い、吸引圧力が液流管６へ加わり、液体及び固体は液流管６から合流管７へと吸い出される。これに伴い器体１内の水位が例えばＷＬ１からＷＬ２へと下降すると、フロートバルブ８も水位と共に下降する。この間、液流管６の水平部６ａの中途に配設された電磁流量計９中に、固体を含む液体が水平に流れる。
【０００６】
水平に配設された電磁流量計９中での流れを見ると、図２に示すように、比重の軽いものは電磁流量計９中の上部を速い流速で流れ、比重の重いものは電磁流量計９中の下部を遅い流速で流れて、流速の分布に片寄りが生ずる。そして、フロートバルブ８の下降により液流管６からの吸引圧力が低下しながらこのような状態で流れ、水位がＷＬ２まで下降すると、上昇に転じて同様の動作が繰り返される。
【０００７】
電磁流量計９は、一般に、配管の中心点から相対に平均に流れることを条件として流量を測定するため、流速の分布が平均にならずに配管の中心点から上へずれると、電磁流量計９に大きな測定誤差が生じてしまう。
【０００８】
すなわち、器体１内でフロートバルブ８による開閉により気液を分離するに当たり、器体１内で液体の滞留時間が生じ、液流管６を通じて同様に排出される液体の中にも、固体混入により重いものと軽いものが生じる（比重の差が生ずる）ところ、そのような液体の流量を、液流管６の水平部６ａ中で水平な流れとして電磁流量計９で測定するため、流速分布の片寄りにより電磁流量計９に大きな測定誤差が生じていた。
【０００９】
そこで、本発明の課題は、液流管に流れる流体の流量を、流速分布の片寄りが生じない状態で正確に測定できるようにすることにある。
【００１０】
【課題を解決するための手段】
本発明の気液分離装置は、液体吸出口から延びてきて気流管との合流接続部へと立ち上がる液流管の垂直部の中途に電磁流量計を設置することで、上記の課題を解決したものである。
【００１１】
電磁流量計の設置位置は、液流管の垂直部の中途で占める電磁流量計の縦方向の長さをＬとしたとき、その中心点の高さＨを、液体吸出口から水平に延びる液流管の水平部から２Ｌ〜４Ｌの高さとするのが良い。
【００１２】
【発明の実施の形態】
次に、本発明の実施の形態を図面に基づいて詳細に説明する。
【００１３】
本発明の気液分離装置は、図３に示すように基本的構成、すなわち、器体（分離槽）１の周壁一側中途に吸込口２、他側下部に液体吸出口３、天井部に気体吸出口４を設け、この気体吸出口４に逆Ｕ形の気流管５、液体吸出口３にＬ形の液流管６をそれぞれ接続し、これら気流管５の先端と液流管６の先端とを、合流管７に合流接続し、気体吸出口４を開閉するフロートバルブ８を器体１内に収容したことでは、従来と同じである。
【００１４】
従来との相違は、電磁流量計９を液流管６の垂直部６ｂの中途で、しかも液流管の垂直部の中途で占める電磁流量計の縦方向の長さをＬとしたとき、電磁流量計の中心点の高さＨが、液体吸出口から水平に延びる液流管の水平部から２Ｌ以上の高さとなるところに設置したことにある。このようにすると、電磁流量計９中を流れる液体の流速分布が、比重の差によって配管の中心から片寄ることなく図４に示すように平均になるので、流量を正確に測定できる。また、フロートバルブ８が器体１の天井部内面に吸着するのを防止するためスペーサ１０を気体吸出口４に設けるとともに、フロートバルブ８の上下の揺動の安定化のため、その上下揺動を案内するフロートガイド１１を器体１内に設けている。
【００１５】
電磁流量計９の設置位置は、液流管６の垂直部６ｂの長さ範囲内でも、流速が安定するところが良いため、液流管６の垂直部６ｂの中途で占める電磁流量計９の縦方向の長さをＬとしたとき、その中心点の高さＨを、液体吸出口３から水平に延びる液流管６の水平部６ａから２Ｌ以上で、しかも４Ｌよりも低い高さとするのが良い。
【００１６】
【発明の効果】
本発明によれば、フロートバルブの上下揺動をフロートガイドで案内するとともに、液流管の垂直部の中途でしかも上記のような高さに電磁流量計を設置することで、流速分布の片寄りを回避して電磁流量計による測定を正確に行える。
【図面の簡単な説明】
【図１】従来例の基本構成図である。
【図２】従来において流速分布の片寄りが生ずることを示す図である。
【図３】本発明の一例の構成図である。
【図４】本発明では流速分布の片寄りが生じないことを示す図である。
【符号の説明】
１  器体
２  吸込口
３  液体吸出口
４  気体吸出口
５  気流管
６  液流管
６ａ  水平部
６ｂ  垂直部
７  合流管
８  フロートバルブ
９  電磁流量計
１０  スペーサ
１１  フロートガイド
【図１】
0003577669.tif 000002
【図２】
0003577669.tif 000003
【図３】
0003577669.tif 000004
【図４】
0003577669.tif 000005